(57)【要約】      （修正有）【課題】液晶パネルを囲むベゼルの連結部分に段差が生じないように改良して品質を向上させた液晶モジュールを提供する。【解決手段】上下二本のベゼル９１，９１と左右二本のベゼル９２，９２を方形枠状に連結して液晶パネル８の四周縁を囲んだ液晶モジュールにおいて、上記ベゼルのそれぞれの連結部分の裏側に、互いに連結された両方のベゼル９１，９２の内側への倒れ込みを防止する共通の倒れ込み防止リブ１４を設置した構成とする。共通の倒れ込み防止リブ１４で両方のベゼル９１，９２の内側への倒れ込みを防止することにより、ベゼル９１，９２に多少の変形や歪みがあっても、連結部分における両方のベゼル端部の高さを揃えて段差をなくし、品質向上を図る。【選択図】図２
2010271660.tif 000002
【特許請求の範囲】
【請求項１】
上下二本のベゼルと左右二本のベゼルを方形枠状に連結して液晶パネルの四周縁を囲んだ液晶モジュールにおいて、
上記ベゼルのそれぞれの連結部分の裏側に、互いに連結された両方のベゼルの内側への倒れ込みを防止する共通の倒れ込み防止リブを設置したことを特徴とする液晶モジュール。
【請求項２】
上記液晶パネルを支持する合成樹脂製のセルガイドの、上記ベゼルの連結部分の裏側に該当する箇所に、上記倒れ込み防止リブを一体に設けたことを特徴とする請求項１に記載の液晶モジュール。
【請求項３】
上記倒れ込み防止リブの側面に上記液晶パネルの端面が当接して位置決めされるように、上記倒れ込み防止リブを上記セルガイドに設けたことを特徴とする請求項２に記載の液晶モジュール。
【発明の詳細な説明】
【技術分野】
【０００１】
本発明は、テレビ、パソコンその他の電子機器に組み込まれる液晶モジュールに関し、特に、液晶パネルを囲むベゼルの連結部分に段差が生じないように改良して品質を向上させた液晶モジュールに関する。
【背景技術】
【０００２】
上下二本のベゼルと左右二本のベゼルを方形枠状に連結して液晶パネルの四周縁を囲んだ従来の液晶モジュールとして、ベゼルが内側へ倒れ込んで液晶パネルの四周縁を損傷することがないように、それぞれのベゼルごとに倒れ込み防止用の凸部を設置したセルガイドやランプフレームに設けたものが知られている。
【０００３】
また、二本の第一支持枠と二本の第二支持枠を長方形枠体状に連結したベゼルを有する液晶表示装置であって、第一支持枠の両端部に第一連結凸部と第二連結凸部を形成し、第一連結凸部に穿孔された第一貫通孔と第二支持枠の両端部に穿孔された第三貫通孔を重ねると共に、第二連結凸部に穿孔された第二貫通孔と第二支持枠の両端部に穿孔された第四貫通孔を重ねて、リアフレームの第一雌ねじ孔と第二雌ねじ孔にボルトで共締め固定することにより、捻じれ、曲がり等の変形を防止した液晶表示装置が提案されている（特許文献１）。
【０００４】
更に、ベゼルをＬ字形の二つの部材に分割して、それぞれのＬ字形部材の端部に突片を設け、この突片を重ねて枠フレームに止めビスでビス止めすることにより、二つのＬ字形部材を矩形に枠組みして取付けた液晶モジュールも提案されている（特許文献２）。
【先行技術文献】
【特許文献】
【０００５】
【特許文献１】特開２００８−１９７１６６号公報
【特許文献１】特開２００６−３５０２１８号公報
【発明の概要】
【発明が解決しようとする課題】
【０００６】
しかしながら、前述した従来の液晶モジュールは、ベゼルごとに設置された倒れ込み防止用の凸部の高さが微小に異なるため、ベゼルに変形や歪みが生じている場合には、ベゼルの連結部分に段差が生じて外観が損なわれ、品質が低下するという問題があった。
【０００７】
一方、前記特許文献１の液晶表示装置の場合は、ベゼルの捻じれや曲がり等の変形を防止して品質を向上させることができるが、第一支持枠と第二支持枠の連結部分ごとに二本のボルトを用いてリアフレームに共締め固定しなければならないため、部品（ボルト）点数が増加してコスト高となり、かつ、ボルトによる面倒な共締め作業が増える分だけ作業性も低下するという問題があった。
【０００８】
また、前記特許文献２の液晶モジュールは、二つのＬ字形部材を矩形に枠組みしてベゼルを形成するものであるから、従来の液晶モジュールが有する上記問題の解決には役立たない。
【０００９】
本発明は上記事情の下になされたもので、その解決しようとする課題は、液晶パネルを囲むベゼルの連結部分に段差が生じないように改良して品質を向上させた液晶モジュールを提供することにある。
【課題を解決するための手段】
【００１０】
上記課題を解決するため、本発明に係る液晶モジュールは、上下二本のベゼルと左右二本のベゼルを方形枠状に連結して液晶パネルの四周縁を囲んだ液晶モジュールにおいて、上記ベゼルのそれぞれの連結部分の裏側に、互いに連結された両方のベゼルの内側への倒れ込みを防止する共通の倒れ込み防止リブを設置したことを特徴とするものである。
【００１１】
本発明の液晶モジュールにおいては、液晶パネルを支持する合成樹脂製のセルガイドの、上記ベゼルの連結部分の裏側に該当する箇所に、倒れ込み防止リブを一体に設けることが好ましい。その場合、倒れ込み防止リブの側面に液晶パネルの端面が当接して位置決めされるように、倒れ込み防止リブをセルガイドに設けることが更に好ましい。
【発明の効果】
【００１２】
本発明の液晶モジュールのように、ベゼルの連結部分の裏側に設置された共通の倒れ込み防止リブによって、互いに連結された両方のベゼルの内側への倒れ込みを防止すると、ベゼルに多少の変形や歪みがあっても、連結部分における両方のベゼル端部の高さが揃い、連結部分に段差を生じることがないため、外観が良くなり、品質が向上する。このように、従来の液晶モジュールでは使用できないような変形や歪みのあるベゼルも使用できるようになるため、歩留が良くなり、コストダウンが可能となる。また、上記の倒れ込み防止リブが設置されていると、ベゼルと液晶パネル表面との隙間の公差も緩和できるようになる。
【００１３】
倒れ込み防止リブは、個別に作製してベゼルの連結部分の裏側に設置してもよいが、前記のように合成樹脂製のセルガイドの、ベゼル連結部分の裏側に該当する箇所に一体に設ける場合は、倒れ込み防止リブの設置作業が不要となり、セルガイドの成形金型を一部変更するだけで一体成形できるので、コストアップを招くことが殆どないという利点がある。
【００１４】
特に、倒れ込み防止リブの側面に液晶パネルの端面が当接して位置決めされるように、倒れ込み防止リブをセルガイドに一体に設ける場合は、従来からセルガイドに形成されている液晶パネルの位置決めリブを省略できる利点がある。
【図面の簡単な説明】
【００１５】
【図１】本発明の一実施形態に係る液晶モジュールの分解斜視図である。
【図２】同液晶モジュールの正面図である。
【図３】図２のＡ−Ａ線切断端面図である。
【図４】同液晶モジュールの部分拡大分解斜視図である。
【発明を実施するための形態】
【００１６】
図１〜図３に示す液晶モジュールは、大画面の液晶テレビに組み込まれる大型の液晶モジュールであって、板金製の浅い箱型のリアフレーム１の内部には光反射シート２が設けられている。そして、この光反射シート２の上には複数本（本実施形態では５本）のＵ字型冷陰極管３が互いに平行に配設されており、これらのＵ時型冷陰極管３は複数個（本実施形態では６個）のランプホルダー４で支持されている。
【００１７】
上記ランプホルダー４は、図１に示すようにＵ字型冷陰極管３を嵌着保持する５つの保持部４ａが形成されたものであって、Ｕ字型冷陰極管３の中央部を保持する４個のランプホルダー４には、光学シート５ａ，５ｂ，５ｃを下方から支持して撓みを防止するポスト４ｂが形成されている。
【００１８】
上記Ｕ字型冷陰極管３の端部（Ｕ字状屈曲端部と反対側の端部）にはランプソケット３ａが取付けられており、これらのランプソケット３ａは、リアフレーム１の側板（左側の側板）１ａに沿ってリアフレーム１の底板１ｂにランプソケットの数だけ形成されたソケット嵌着用開口部１ｃに嵌着されている。そして、各ランプソケット３ａからＵ字型冷陰極管３のリード線（不図示）がリアフレーム１の裏側へ引き出されている。また、Ｕ字型冷陰極管３の両端部は、リアフレーム１の左右の側板１ａ，１ｄに取付けられたセルガイド兼用のランプフレーム６，６で覆われており、それによってランプソケット３ａの陰影や明るさのバラツキが解消されている。
【００１９】
図１，図３に示すように、リアフレーム１の長辺の側板１ｅ，１ｆは逆Ｕ字状に折り曲げられた二重側板とされており、この二重側板１ｅ，１ｆの天面には、３枚の光学シート５ａ，５ｂ，５ｃの長辺沿いの端縁が載置されて、セルガイド７，７で押さえられている。そして、光学シート５ａ，５ｂ，５ｃの短辺沿いの端縁は、セルガイド兼用の前記ランプフレーム６，６の凹溝部（不図示）に挿入されている。これらの光学シート５ａ，５ｂ，５ｃは、Ｕ字型冷陰極管３から発せられる光を拡散して液晶パネル８に均一に照射するための光拡散シートであって、上２枚の光学シート５ｂ，５ｃは薄い光拡散シートであるが、下側の光学シート５ａは撓みにくい厚手のパネル状の光拡散シート（光拡散板）が使用されている。尚、このセルガイド７については後で詳しく説明する。
【００２０】
上記のセルガイド７，７とセルガイド兼用のランプフレーム６，６の上には、液晶パネル（液晶セル）８の四周縁が載置されており、この液晶パネル８の四周縁とリアフレーム１の四周の側板を囲むように、板金製の上下二本の長いベゼル９１，９１と左右二本の短いベゼル９２，９２が方形枠状に連結されて、ビスでリアフレーム１の二重側板１ｅ，１ｆに固定されている。
【００２１】
そして、液晶パネル８の長辺沿いの端縁には、二分割されたＸ−配線基板（Ｘ−ＰＣＢ）１０ａ，１０ｂが、ソースドライバＩＣチップを搭載した複数のチップオンフィルム（ＣＯＦ）１１を介して接続されており、これらのＸ−配線基板１０ａ，１０ｂはセルガイド７の外側面に固定されている。また、液晶パネル８の短辺沿いの端縁には、ゲートドライバＩＣチップを搭載したチップオンフィルム（ＣＯＦ）１２を介してＹ−配線基板（Ｙ−ＰＣＢ）１３が接続されており、このＹ−配線基板１３は上記ランプフレーム６の外側面に固定されている。
【００２２】
上記のベゼル９１，９１，９２，９２はいずれも板金を加工したもので、上下二本のベゼル９１，９１は鉤形断面を有する直状のベゼルに形成されており、その両端部には、図４に示すような半長円形の凹部９１ａと、その底部から突出する半長円形の突片９１ｂが形成されている。そして、この凹部９１ａの底部にはビス挿通用の丸孔９１ｃが形成されており、突片９１ｂには、セルガイド７から上方に突き出す位置決めピン７ａを挿入する長孔９１ｄが形成されている。
【００２３】
一方、左右二本のベゼル９２，９２は鉤形断面を有し、且つ、図２，図４に示すように両端部が直角に曲がった縦長の略コ字状のベゼルに形成されており、その両端部には、図４に示すような半長円形の凹部９２ａと、その底部から突出する半長円形の突片９２ｂが形成されている。そして、この凹部９２ａの底部にはセルガイド７のピン７ａを挿通する丸孔９２ｃが形成されており、突片９２ｂにはビス挿通用の長孔９２ｄが形成されている。左右のベゼル９２，９２の凹部９２ａの底部は、上下のベゼル９１，９１の凹部９１ａの底部よりも板金の厚さ分だけ浅く形成されており、そのため、ベゼル９１，９２を連結する時に、左右のベゼル９２の凹部９２ａと突片９２ｂを上下のベゼル９１の突片９１ｂと凹部９１ａに重ねると、両方のベゼル９１，９２の連結端部の間に段差が生じないようになっている。
【００２４】
図２に示すように、上下二本のベゼル９１，９１と左右二本のベゼル９２，９２とのそれぞれの連結部分の裏側には、互いに連結された両方のベゼル９１，９２の内側への倒れ込みを防止する共通の倒れ込み防止リブ１４が一つずつ、合計四つ設置されている。具体的には、合成樹脂製のセルガイド７の、上記ベゼルの連結部分の裏側に該当する箇所（セルガイド７の両端部）に、上記倒れ込み防止リブ１４が一体に設けられている。特に、この実施形態では、図３に示すように倒れ込み防止リブ１４の側面に液晶パネル８の端面が当接して位置決めされるように、倒れ込み防止リブ１４がセルガイド７の表面に一体形成されている。
【００２５】
倒れ込み防止リブ１４は、個別に作製してベゼル９１，９２の連結部分の裏側に設置してもよいが、上記のように合成樹脂製のセルガイドに一体に設けると、倒れ込み防止リブの設置作業が不要となり、セルガイドの成形金型を一部変更するだけで一体成形できるため、コストアップを招くことが殆どないという利点があるので好ましい。また、図２に示す如く、倒れ込み防止リブ１４の側面に液晶パネル８の上下の端面８ａ，８ａが当接して位置決めされるように、倒れ込み防止リブ１４をセルガイド７に一体に設けると、従来からセルガイドに形成されている液晶パネルの上下方向の位置決めリブを省略できる利点があるので好ましい。尚、図示はしていないが、ランプフレーム６，６の上面には液晶パネル８の位置決めリブが形成されており、この位置決めリブによって液晶パネル８の左右方向の位置決めが行われるようになっている。
【００２６】
上下のベゼル９１，９１と左右のベゼル９２，９２の連結固定は、左右のベゼル９２の凹部９２ａと突片９２ｂを、上下のベゼル９１の突片９１ｂと凹部９１ａに重ね、セルガイド７のピン７ａを下方からピン挿通用の長孔９１ｄと丸孔９２ｃに挿通して両方のベゼル９１，９２を位置決めすると共に、上方からビス１５（図４を参照）をビス挿通用の長孔９２ｄと丸孔９１ｃとセルガイド７のビス挿通孔７ｂに挿通して、リアフレーム１の二重側板１ｅのビス孔１ｇにねじ込むことにより行われる。このように、ベゼル同士の連結固定は一本のビス１５で行うことができるので、前記特許文献１の液晶表示装置のようにベゼル同士の連結固定を二本のボルト（ビス）で行うものに比べると、使用するビスの本数が半減し、その分だけ部品代を削減することができる。
【００２７】
以上の液晶モジュールのように、合成樹脂製のセルガイド７の、上記ベゼル９１，９２の連結部分の裏側に該当する箇所（セルガイド７の両端部）に倒れ込み防止リブ１４を一体に設け、この倒れ込み防止リブ１４によって、互いに連結された両方のベゼル９１，９２の内側への倒れ込みを共に防止できるように構成すると、ベゼル９１，９２に多少の変形や歪みがあっても、連結部分における両方のベゼル９１，９２の端部の高さが揃い、連結部分に段差を生じることがなくなるため外観が良くなり、品質を向上させることが可能となる。そして、この液晶モジュールのように多少の変形や歪みのあるベゼルでも使用可能であると、歩留が良くなり、前述したように部品代が低減されることと相俟って、コストダウンを図ることが可能となる。また、倒れ込み防止リブ１４が設置されていると、ベゼル９１，９２と液晶パネル８表面との隙間の公差も緩和できるようになる。
【符号の説明】
【００２８】
１    リアフレーム
２    光反射シート
３    Ｕ字型冷陰極管
５ａ，５ｂ，５ｃ  光学シート
６    ランプフレーム
７    セルガイド
８    液晶パネル
９１  上下のベゼル
９２  左右のベゼル
１４  倒れ込み防止リブ
【図１】
2010271660.tif 000003
【図２】
2010271660.tif 000004
【図３】
2010271660.tif 000005
【図４】
2010271660.tif 000006